(57)【要約】【課題】ゴルフ・スイング時のヘッドアップを防止するとともに、スイング時に正しい前傾姿勢を維持できるゴルフ用メガネを提供する。【解決手段】メガネのレンズ部の少なくとも一方に、メガネを着用した際に水平方向に対して斜め下方向のみを視認可能とするように複数のシェード１００が水平に取り付けられ、前記斜め下方向の角度が６０°から８０°の範囲であることを特徴とする。シェードの側面部に支持軸が挿入され、支持軸の両端部がメガネ・フレームのレンズ嵌合部に取り付けられ、シェードが回動自在であることが好ましい。【選択図】図２
2018196716.tif 000002
【特許請求の範囲】
【請求項１】
メガネのレンズ部の少なくとも一方に複数のシェードが水平に取り付けられ、前記シェードは前記メガネを着用した際に水平方向に対して斜め下方向のみを視認可能とするように取り付けられ、前記斜め下方向の角度が６０°から８０°の範囲であることを特徴とするゴルフ用メガネ
【請求項２】
メガネのレンズ部の少なくとも一方に複数のシェードが水平に取り付けられ、前記シェードの側面部に貫通孔と前記貫通孔内には支持軸が挿入され、前記支持軸の両端部がメガネ・フレームのレンズ嵌合部に具備された貫通孔に取り付けられ、前記シェードが回動自在であることを特徴とするゴルフ用メガネ
【請求項３】
前記シェードの片端部には貫通孔と前記貫通孔内には複数のストッパーが取り付けられたシェード角度変更棒が挿入され、前記シェード角度変更棒下端部は連結部材により取り付けられた錘と、前記メガネ・フレームの下端には前記錘を受ける受け皿を備え、前記錘が前記受け皿内を移動又は前記受け皿から落下することで前記シェード角度変更棒が移動することにより前記シェードが斜め下方向のみを視認可能する角度から水平方向のみを視認可能とする角度に回動することを特徴とする請求項２記載のゴルフ用メガネ
【請求項４】
メガネのレンズ部の少なくとも一方にルーバーが備わり、前記ルーバーには複数の羽板が水平に取り付けられ、前記羽板は前記メガネを着用した際に水平方向に対して斜め下方向のみを視認可能とするように取り付けられ、前記斜め下方向の角度が６０°から８０°の範囲であることを特徴とするゴルフ用メガネ
【請求項５】
メガネのレンズ部の少なくとも一方にルーバーが備わり、前記ルーバーには複数の羽板が水平に取り付けられ、前記羽板は前記メガネを着用した際に水平方向に対して斜め下方向のみを視認可能とするように前記ルーバーは前記メガネのレンズ部厚み方向に対して対面するように取り付けられ、前記ルーバーの一方は上下移動できるように前記メガネのリム部にガイドが備わったことを特徴とするゴルフ用メガネ
【請求項６】
前記上下移動できるルーバーの端部には連結部材と前記連結部材の他端部には錘が取り付けられ、前記メガネ・フレームの下端には前記錘を受ける受け皿を備え、前記錘が前記受け皿内を移動又は前記受け皿から落下することで前記ルーバーが斜め下方向のみを視認可能する角度から水平方向のみを視認可能とする角度に位置に移動することを特徴とする請求項５記載のゴルフ用メガネ
【請求項７】
メガネのレンズ部の少なくとも一方に複数のラインが水平方向に平行に貫通され又は複数の貫通孔が備わり、前記ライン又は前記貫通孔は前記メガネを着用した際に水平方向に対して斜め下方向のみを視認可能とするように前記レンズ部を貫通させ、前記斜め下方向の角度が６０°から８０°の範囲であることを特徴とするゴルフ用メガネ
【請求項８】
メガネのレンズ部の少なくとも一方に視認可能な複数のラインが水平に付されたシール又は視認可能な複数の孔が付されたシールを前記メガネのレンズの表面側と裏面側に前記ライン又は前記孔が前記レンズの厚み方向に対して対面しないように貼り付けられ、前記シールは前記メガネを着用した際に水平方向に対して斜め下方向のみを視認可能とするように取り付けられ、前記斜め下方向の角度が６０°から８０°の範囲であることを特徴とするゴルフ用メガネ
【発明の詳細な説明】
【発明の詳細な説明】
【技術分野】
【０００１】本考案は、ゴルフ・スイング時において、ヘッドアップが原因である軸振を防止するために用いられるゴルフ用メガネに関する。
【背景技術】
【０００２】ゴルフでのセットアップは構える体の形を決める動作であり足の幅、ひざ、前傾など基本的な構えからなる。特に、ゴルフ・スイングの回転軸は背骨であるため、前傾姿勢は、ひざを軽く曲げた後、尻を突き出し、骨盤から首の骨まで真っ直ぐに伸ばしたまま、骨盤から前傾する必要がある。骨盤を前傾させずに背骨を曲げる猫背では、上半身の捻りが小さくなり、飛距離が短くなるだけでなく軸振の原因にもなる。【０００３】前記セットアップが決まり、ゴルフ・スイングの一連の流れで、アドレスが決まりテイクバックから右後方に片や腰が逃げることを防ぎ、トップオブスイングとなり、次にダウンスイングにてクラブを振り下ろしクラブヘッドのフェースとボールが当たるインパクトに続き、フォロースルーからフィニッシュとなる。【０００４】前記動作において、インパクトの瞬間に傾斜した上体が起き上がらないようにボールを確りと見て頭を動かさないようにすることでダフリやトップを防止できる。言い換えれば、ヘッドアップとはインパクトの瞬間に右打ちのプレーヤーの場合には右目がボールを見ていない事により、即ちボールの行方を予測してインパクト前に頭が動いていることにより生じている現象である。
【特許文献】
【０００５】
【特許文献１】実開平５−６３５７５号
【特許文献２】実開平６−７５５５０号
【特許文献３】実用新案登録３０２３９３１号
【特許文献４】特開２００８−６８０４１号
【特許文献５】特開２００２−３２３６８２号
【０００６】
【発明の概要】
【発明が解決しようとする課題】
【０００７】正しいセットアップ姿勢やスイング動作を習得するためにゴルフ教室や鏡を見ながらのスイング動作を確認し、調整しているが実際のプレーではミスショットが頻繁に起こっている。そのため、ヘッドアップによるミスショットを矯正するための矯正用メガネが多数提案されている。【０００８】特許文献１は、色つきレンズの中に更に透明レンズを設けたものであり、透明レンズの面積を小さくしたゴルフ練習用が提案されている。透明レンズでゴルフボールを見ることにより頭の振れを最小にするものであるがゴルフ・スイング時の姿勢、特に骨盤から首の骨まで真っ直ぐに伸ばしたまま、骨盤から前傾する姿勢を矯正するものでない。【０００９】特許文献２は、左右１対の視界限定部を有することを特徴とするゴルフ・スイング用練習メガネであってヘッドアップを防止するためにメガネ・フレームに円形の筒枠を備え、若しくはレンズに遮光部と通光部を備えることでボールに集中させるものである。本発明もヘッドアップを防止するものでありゴルフ・スイング時の姿勢を矯正するものでない。【００１０】特許文献３は、左右のメガネの玉に、立ち姿勢での正中における左右の視線が足元から遠方に至るまで一つの像を結ぶ視界を確保できる横方向範囲をカバーした上下が窄んだ縦長スリット状の素通し部分を有し、該素通し部分以外が透光透視性を有した着色部分であることを特徴とするゴルフ練習用メガネであり基本構成は特許文献２と同じである。【００１１】特許文献４は、メガネ・フレームの瞳の中心が位置する箇所に、左右の視界を仕切るための視界分離板を装着したゴルフ用のメガネが提案されている。本発明によれば、左右の眼の、それぞれの瞳の中央部分で、それぞれの視界を左右に仕切ることができ、これによりスウィング中のボールの見方が劇的に改善され、さらに視界分離板の活躍によってスウィング・センターが不動のまま、左右それぞれの半身がバランス良く動作するようになるのである。しかし、前記特許文献と同様にヘッドアップを防止するものでありゴルフ・スイング時の姿勢を矯正するものでない。【００１２】特許文献５は、レンズに、目で見える色および／または形が変化するように、その他の通常のレンズ部分と異なって見える視認部が形成されたスポーツメガネであり、前記視認部はレンズの表面に形成された色彩部若しくはレンズの表面に形成された線または点等の形状部からなる。前記視認部は、利き腕側の目にかけるレンズにおいて、該レンズの中央より目で見る物体の移動する方向とは反対側の部位に形成されている。しかしながら、本発明もヘッドアップを防止するためのものでありゴルフ・スイング時の姿勢を矯正するものでない。
【課題を解決するための手段】
【００１３】上記課題に鑑み、発明者は誠意工夫の結果、第一の実施形態としてメガネレンズ部の少なくとも一方に、水平に複数のシェード若しくは水平方向に複数の羽板を備えたルーバーが取り付けられ、又は複数の貫通させたラインが水平に備わり又は複数の貫通孔が備わり、又は視認可能な複数のラインが水平に付されたシール又は視認可能な複数の孔が付されたシールをレンズ表裏両面に対して表面側と裏面側のライン又は孔が対面しないように貼り付けられ、当該メガネを着用した際に斜め下方向のみを視認可能とするゴルフ用メガネである。これら手段による斜め下方向の角度は、当該メガネを着用し正面を向いた時に水平方向に対して斜め下方向に６０°から８０°の範囲とする。【００１４】第二の実施形態は、インパクトしたゴルフボールの軌道を追うために頭を振った際に、前記シェードの角度が斜め下方向の視認可能な角度から水平方向に視認が可能な角度に変化、若しくは前記ルーバーが斜め下方向のみ視認可能な位置から水平方向に視認が可能な位置に移動するゴルフ用メガネである。【００１５】本発明のゴルフ用メガネを着用するとゴルフ・スイング時の姿勢、特に骨盤から首の骨まで真っ直ぐに伸ばしたまま、骨盤から前傾する姿勢を維持できるため飛距離も延び、ヘッドアップ防止も可能となる。【００１６】第一の実施形態を具体的に説明すると、第一右打ちの場合には右目側のメガネレンズ部に前記手段のいずれか一手段を設置することにより視認領域は斜め下方向のみとなり前記ゴルフボールを右目で見るためには顎を上げる姿勢となり、必然的に骨盤から首の骨まで真っ直ぐに伸びた正しい姿勢となる。【００１７】ヘッドアップの防止に関しては、インパクトしたゴルフボールは目標に向かって飛び出すが右目側は前記手段により前記ボールの軌道を追うことは困難であるため左目のみで前記ボールの軌道を追うことになり首の回転角度が両目で追うよりも首の回転角度が小さくてすむ。これによりヘッドアップが防止される機能を有する。【００１８】本発明のゴルフ用メガネは、片眼だけでなく両眼とも視認領域が斜め下方向のみにしても良いが、左目側はインパクトしたボールの軌道を目で追うために通常のレンズや板ガラス若しくはレンズを取り付けないほうが好ましい。【００１９】第二の実施形態では、シェードの角度が変化する機構又はルーバーが上下移動する機構を備えており、ボールをインパクトした後に前記ボールの軌道を追う際にプレーヤーの頭が振れると自動的に前記シェードの角度が変化又はルーバーが移動する。当該機能によりインパクト前若しくはインパクトの瞬間にシェードの角度が変化又はルーバーが移動した場合にはヘッドアップが起こっていることを検知できるようになる。本機構を搭載するゴルフメガネであれば片眼だけでなく両眼に適用することが可能となり視認性も高まるためインパクトしたボールの軌道も追いやすくなる。【００２０】具体的には、シェードの場合には前記シェードが回動自在又はルーバーを採用する時には前記ルーバーが上下方向にスライド自在であることを特徴とし、前記シェード若しくは前記ルーバーを動かすために外力を付与する部品をメガネに搭載する。
【図面の簡単な説明】
【００２１】
【図１】シェードを搭載したゴルフ用メガネの正面図を示す。
【図２】図１のＸ１‐Ｘ２の断面図を示す。
【図３】シェード搭載のオーバーグラスをメガネに装着した側面図を示す。
【図４】（ａ）片眼用のオーバーグラスの正面図を示す。（ｂ）両眼用のオーバーグラスの正面図を示す。
【図５】跳ね上げ自在のシェード搭載オーバーグラスをメガネに装着した側面図を示す。
【図６】ルーバーを搭載したゴルフ用メガネの正面図を示す。
【図７】図６のＸ１‐Ｘ２の断面図を示す。（ａ）レンズ表面側のルーバーを上方向にスライドさせた状態  （ｂ）レンズ表面側のルーバーを下方向にスライドさせた状態
【図８】レンズに貫通ラインを入れたゴルフ用メガネの正面図を示す。
【図９】図８のＸ１‐Ｘ２の断面図を示す。
【図１０】レンズに複数の貫通孔を入れたゴルフ用メガネの正面図を示す。
【図１１】ライン付きシールを付したゴルフ用メガネの正面図を示す。
【図１２】図１１のＸ１‐Ｘ２の断面図を示す。
【図１３】孔付きシールを付したゴルフ用メガネの正面図を示す。
【図１４】回動自在のシェードを搭載したゴルフ用メガネの正面図を示す。（ａ）斜め下方向のみを視認可能とした状態  （ｂ）水平方向を視認可能とした状態
【図１５】図１４のＸ１‐Ｘ２断面でありシェードを取り外した図を示す。
【図１６】図１４のＸ１‐Ｘ２断面でありシェードにより斜め方向のみを視認可能とした状態を示す。
【図１７】錘落下式シェード自動回動ゴルフ用メガネの断面図を示す。（ａ）錘受け皿に錘が設置され斜め下方向のみ視認可能とした状態  （ｂ）錘受け皿の錘が落下し水平方向のみを視認可能とした状態
【図１８】錘スライド式シェード自動回動ゴルフ用メガネの正面図を示す。（ａ）錘受け皿に錘が設置され斜め下方向のみ視認可能とした状態  （ｂ）錘受け皿の錘がスライドし水平方向のみを視認可能とした状態
【図１９】シェードを自動回動させる駆動部を備えた装置をテンプルに取り付けたゴルフ用メガネの正面図を示す。
【発明を実施するための形態】
【００２２】以下、本発明に係る実施の形態を図面により説明する。
【実施例】
【００２３】図１は、フルリム構造（１０）を用いた場合の右打ち用としてのゴルフ用メガネの正面図（ノーズパッドは省略）を示す。着用時に左目側には通常のレンズ（５０）が取り付けられ、右目側には複数のシェード（１００）が水平に取り付けられている。図２は、ストレートテンプル（３０）のゴルフ用メガネであって図１のＸ１−Ｘ２方向の断面図を示す。テンプル部は通常のメガネと同様で図示していないが智（２０）とテンプル（３０）は蝶番（７０）で接続され、前記テンプル（３０）の先端部はモダン（４０）で構成されており、前記リム（１０）には複数のシェード（１００）が、メガネを着用し正面を向いた時に水平方向から斜め下方向に７０°の傾きを具備させて取り付けられている。【００２４】図３は、装着自在のゴルフ用メガネとなるオーバーグラスであってメガネに装着した時の側面図を示す。脱着自在なオーバーグラス（２００）はプラスチック製などのフレームからなり、前記フレームには複数のシェード（１００）が当該メガネを着用し正面を向いた時に水平方向から斜め下方向に６０°の傾きを具備させて取り付けられ、リム取り付け部品（２１０）にて通常のメガネのリム上部に装着する。【００２５】図４（ａ）は、前記脱着自在な片眼用のオーバーグラス（２００）の一例であり、図４（ｂ）はメガネ両眼部に装着できる一例を示す。いずれも斜め下方向のみ視認可能となるようにシェード（２００）を６５°に設定している。【００２６】図５は、シェード取り付け角度を７５°にした脱着自在なオーバーグラス（２００）でありリム取り付け部品を備えた跳ね上げ用蝶番（２２０）にて通常のメガネのリム上部に装着した側面図を示す。【００２７】図６は、本発明であるフルリム構造（１０）による右打ち用としてのゴルフ用メガネの正面図（ノーズパッドは省略）であり、右目側のレンズ部の表面側には羽板（３１０）と前記羽板（３１０）を固定するための枠（３００）から構成されるルーバーと前記レンズ部の裏面側にも羽板（３２０）と前記羽板（３２０）を固定するための枠（３０５）が前記レンズの厚み方向に対面するようにレンズ・フレーム部に２個取り付けられている。前記レンズ表側のルーバーには上下方向にスライドできるようにガイド（３３０）がリム（１０）に固定され、斜め下方向のみに視認可能とするために前記レンズ表側のルーバーを上方向にスライドした状態である。【００２８】図６のＸ１−Ｘ２方向の断面を図７に示すが、図７（ａ）は前記レンズ表面側の前記羽板（３１０）が斜め下方向に７２°になるように取り付けられたルーバーを上方向にスライドした状態であり、当該メガネを装着時には斜め下方向正面のみが視認可能となる。一方、図７（ｂ）は前記レンズ表側のルーバーを下方向にスライドした状態であり水平方向の視認が可能となる。具体的には、前記レンズ表側のルーバーを下方向にスライドした状態で本考案のゴルフ用メガネを着用することでゴルフ・スイング時に骨盤から首の骨まで略真っ直ぐに伸びた正しい姿勢となる切り込み角度を備えている。前記ルーバーとガイド（３３０）を除けば通常のメガネと同様に智（２０）とテンプル（３０）は蝶番（７０）で接続され、前記テンプル（３０）の先端部はモダ��（４０）で構成されている。【００２９】図８は、フルリム構造（１０）による右打ち用としてのゴルフ用メガネであり右目側のレンズ部にはブラインド（４１０）が取り付けられ、複数の貫通した切り込み（４００）が水平に備わっている。図８のＸ１−Ｘ２方向の断面を図９に示すが、前記切り込み（４００）はプレーヤーが当該メガネを装着することでゴルフ・スイング時に骨盤から首の骨まで略真っ直ぐに伸びた正しい姿勢となるように前記切込みの角度を７２°としている。前記切り込み（４００）を除いては通常のメガネと同様に智（２０）とテンプル（３０）は蝶番（７０）で接続され、前記テンプル（３０）の先端部はモダン（４０）で構成されている。【００３０】図１０は、本発明であるフルリム構造（１０）による右打ち用としてのゴルフ用メガネの正面図（ノーズパッドは省略）であり、図８と同様に右目側のレンズ部にはブラインド（４１０）が取り付けられ、切り込みの代わりに複数の貫通孔（４２０）が備わっている。前記貫通孔（４２０）も同じくプレーヤーが当該メガネを装着することでゴルフ・スイング時に骨盤から首の骨まで略真っ直ぐに伸びた正しい姿勢となるように貫通孔の傾きを７０°としている。【００３１】図１１は、本発明であるフルリム構造（１０）による右打ち用としてのゴルフ用メガネの正面図（ノーズパッドは省略）であり、右目側のレンズ部表面側にはブラインド（５００）となるシールが貼られており、前記シールには複数の視認可能なライン（５１０）が備わっている。【００３２】図１１のＸ１−Ｘ２方向の断面を図１２に示すが、前記レンズ部の裏面側にも前記シール（７）が貼られており、前記レンズ表面側のライン（５１０）と前記レンズ裏面側ライン（５１０）は対面しないように貼り付けられ、プレーヤーが当該メガネを装着時に斜め下方向のみを視認可能となるようにしている。【００３３】図１３は、右目側のレンズ部にブラインド（５００）となるシール貼られており、前記シールには視認可能な複数の孔（５２０）が備わっている。前記レンズ部の裏面にも前記シールが貼られており、前記レンズ表面側の孔（５２０）と前記レンズ裏面側の孔（５２０）は対面しないように貼り付けられ、プレーヤーが当該メガネを装着することでゴルフ・スイング時に骨盤から首の骨まで略真っ直ぐに伸びた正しい姿勢となるように前記表面側のラインと裏面側のラインを結んだ角度が７０°となるようにしている。【００３４】前記いずれの手段に於いても斜め下方向にのみ視認可能な角度は、プレーヤーなどの体型などを加味すると本発明のゴルフ用メガネを装着した際に水平方向に対して６０°から８０°の範囲であり、好ましくは６５°から７５°の範囲である。角度が６０°未満では顎が下がる姿勢となり、８０°を超えた角度では逆に顎が上がり過ぎるため骨盤から首の骨まで真っ直ぐに伸びた正しい姿勢とならない。【００３５】図１４は、本発明の第二の実施形態であるフルリム構造（１０）を用いたゴルフ用メガネの正面図（ノーズパッドは省略）を示す。前記レンズ部には複数のシェード（６００）が水平に取り付けられた支持軸（６５０）により角度を変更できる構造となっている。前記角度は、シェード角度固定用突起（６１０）に��り前記シェードが斜め下向きにのみ視認可能な角度から水平方向に視認可能となる角度の範囲で前記シェードが回動できるように設計してある、図１４（ａ）は、前記シェードを斜め下向きにのみ視認可能としたものであり、図１４（ｂ）は水平方向に視認可能としたものを示す。【００３６】図１５は、図１４のＸ１−Ｘ２方向の断面であり前記シェード（６００）を取り除いた状態であり、当該リム（１０）のレンズ部と嵌合する領域には、前記シェード角度固定用突起（６１０）と第一貫通孔（６２０）が複数備わっている。図１６には前記シェード（６００）を取り付けた状態であり、前記シェード（６００）の側面部には回動自在とするための第二貫通孔（６２５）が設けられている。智（２０）とテンプル（３０）は蝶番（７０）で接続され、前記テンプル（３０）の先端部はモダン（４０）で構成されている。【００３７】図１７は、シェードの自動回動を可能とする一実施例を示したもので図１４のＸ１−Ｘ２方向での断面であり前記シェード（６００）の表面片側先端部に第三貫通孔（６３０）が備わり、前記貫通孔（６３０）にはシェード角度変更棒（６４０）が挿入されている。前記シェード角度変更棒（６４０）には、前記第二貫通孔（６３０）の径より大きいサイズのストッパー（６６０）が取り付けられ、下端部には連結部材として鎖（７００）が取り付けられ、前記鎖（７００）は鉄球（７１０）に繋がっている。【００３８】図１７（ａ）は、斜め下方向にのみ視認可能となるように前記シェード（６００）を傾け、前記鉄球（７１０）を受け皿（７２０）に設置した状態を示す。図１７（ｂ）は、前記鉄球（７１０）を前記受け皿（７２０）から落下させた状態を示す。前記鉄球（７１０）の落下により鎖（７００）は引っ張られ前記シェード角度変更棒（６４０）が下方向に向って下がることで前記ストッパー（６６０）が前記第三貫通孔（６３０）の領域を押し下げることで前記シェード（６００）が水平方向に回動する。【００３９】図１８は、他の受け皿（７３０）を用いた場合の簡略図を示したものであり、鉄球（７１０）が前記受け皿内（７３０）を移動することで鎖（７００）が引っ張られシェード（６００）が水平方向に回動する。図１８（ａ）は、シェード（６００）が斜め下方向のみ視認可能とした状態で、図１８（ｂ）は水平方向に視認可能とした状態を示す。【００４０】シェード（６００）の自動回動に関しては、図示しないが加速度センサーを用いてメガネの動きを検知し、前記検知信号をモーター等の駆動装置により各軸（６５０）に取り付けた小型のギアと補助ギアの組み合わせ又は小型のギアとベルトの組合せなどにより連結させることでシェードを回動させることも可能であり、又はバネなどを利用して回動させる機構も可能である。図１９は、前記部品により構成された装置（８００）を片眼用として（右打ちプレーヤー用）テンプル（３０）に取り付けた例を示す。【００４１】第二の実施形態によるゴルフ用メガネを着用してゴルフ・スイングを行う際に、ボールのインパクト直前若しくはインパクトと同時にプレーヤーがボールの軌道を追おうとして頭を動かすとシェードが自動的に回動するために頭の動きが早いことを察知できるため、ヘッド��ップを起こしていることを把握できる。【００４２】尚、本発明にかかるゴルフ用メガネの具体的な構成は、実施形態に記載したものに限られるものでなく、発明の要旨を逸脱しない範囲で変更可能である。本発明はメガネのみでなくサングラスやオーバーグラスに適用しても良い。また、斜め下方向を視認可能とする本発明の手段はメガネレンズ本体に搭載若しくはメガネ・フレームのレンズ部に直接搭載しても良い。シェード角度固定用突起に関してはリム側面部を削り出さず前記角度固定用突起を取り付けても良く又簡単な構造のピンでも良い、前記シェードの回動に関しても、シェード側面部に貫通孔を通さずともシェード両側面部に凸部を設けメガネ・フレーム側面に設けた凹部に取り付けても良い。また、本発明であるシールに於いても、例えばレンズ表面に視認可能なラインとレンズ裏面には視認可能な孔を貼り付けても良い。【００４３】シェードとルーバーを備えたゴルフ用メガネに関しては、図示していないが何らかの手段により前記シェードの自動回動若しくは前記ルーバー自動移動を採用することでゴルフ・スイングを行わない場合に前記シェードや前記ルーバーを水平方向に視認可能な角度に設定すれば常時着用が可能となる。
【発明の効果】
【００４４】本発明によれば、ヘッドアップ防止のみならず、スイング中の姿勢をも矯正することが可能となり、またプレー中にも装着できるため実践でも役に立つ。
【符号の説明】
【００４５】１０    リム
２０    智
３０    テンプル
４０    モダン
５０    レンズ
７０    蝶番
１００  シェード
２００  オーバーグラス
２１０  リム取り付け部品
２２０  跳ね上げ用蝶番
３００  レンズ表面側の羽板を固定するための枠
３０５  レンズ裏面側の羽板を固定するための枠
３１０  レンズ部表側の羽板
３２０  レンズ部裏側の羽板
３３０  ガイド
４００  切込み
４１０  ブラインド
４２０  孔
５００  ブラインドシール
５１０  視認可能なライン
５２０  視認可能な孔
６００  シェード
６１０  シェード角度固定用突起
６２０  第一貫通孔
６２５  第二貫通孔
６３０  第三貫通孔
６４０  シェード角度変更棒
６５０  支持軸
６６０  ストッパー
７００  鎖
７１０  鉄球
７２０  受け皿
７３０  他の受け皿
８００  加速度センサーとシェード回動用部品を備えた装置
【図１】
2018196716.tif 000003
【図２】
2018196716.tif 000004
【図３】
2018196716.tif 000005
【図４】
2018196716.tif 000006
【図５】
2018196716.tif 000007
【図６】
2018196716.tif 000008
【図７】
2018196716.tif 000009
【図８】
2018196716.tif 000010
【図９】
2018196716.tif 000011
【図１０】
2018196716.tif 000012
【図１１】
2018196716.tif 000013
【図１２】
2018196716.tif 000014
【図１３】
2018196716.tif 000015
【図１４】
2018196716.tif 000016
【図１５】
2018196716.tif 000017
【図１６】
2018196716.tif 000018
【図１７】
2018196716.tif 000019
【図１８】
2018196716.tif 000020
【図１９】
2018196716.tif 000021